(57)【要約】      （修正有）【課題】動的ＴＤＤシステムにおいて、ダウンリンク送信とアップリンク送信との間の干渉を最小限に維持し、且つ、制御シグナリングを最小限に維持しながら、ダウンリンクとアップリンクとを切り替える方法及び無線ノードを提供する。【解決手段】アップリンクサブフレームとダウンリンクサブフレームとを切り替えるためのガード期間が、アップリンクサブフレームを短縮することによって、すなわちサブフレーム区間の先頭の１つ以上のシンボル区間の間に送信しないことによって作成される。グラントメッセージは、短縮されたサブフレームが送信されるべきタイミングを示すシグナリングを含む。【選択図】図１６
2018082452.tif 000002
【特許請求の範囲】
【請求項１】
定義されたサブフレーム区間に発生し、且つ、所定の数のシンボル区間を有する送信サブフレームでデータを送信するように構成される第１の無線ノードにおける方法（1600）であって、
前記所定の数のシンボル区間と比べて送信サブフレームが短縮されることを判定するステップ（1620）と、
前記判定に応じて、前記送信サブフレームについてのサブフレーム区間の先頭における１つ以上のシンボル区間の間に送信せずに当該サブフレーム区間の残りの部分の間に送信することによって前記送信サブフレームの送信を短縮するステップ（1630）と、
を含むことを特徴とする方法。
【請求項２】
前記第１の送信サブフレームが短縮されることを判定するステップ（1620）は、前記送信サブフレームが短縮されることを示すサブフレーム短縮情報を含むグラントメッセージを、第２の無線ノードから受信するステップを含む
ことを特徴とする請求項１に記載の方法。
【請求項３】
前記サブフレーム短縮情報は、所定の数のシンボルを前記送信サブフレームの前記先頭から省くことによって前記送信サブフレームが短縮されることを示す単一ビットから成る
ことを特徴とする請求項２に記載の方法。
【請求項４】
前記グラントメッセージを受信する前に、前記所定の数を指定する構成情報を前記第２の無線ノードから受信するステップ（1610）を更に含む
ことを特徴とする請求項３に記載の方法。
【請求項５】
前記サブフレーム短縮情報は、前記送信サブフレームの前記先頭において省かれるシンボルの数を指定する
ことを特徴とする請求項２に記載の方法。
【請求項６】
前記送信サブフレームが短縮されることを判定するステップ（1620）は、スケジューリングされたブロードキャストサブフレームが、前記送信サブフレームに先行し、且つ、前記送信サブフレームと重なる受信サブフレームで受信されることを判定するステップを含む
ことを特徴とする請求項１に記載の方法。
【請求項７】
定義されたサブフレーム区間に発生し、且つ、所定の数のシンボル区間を有する受信サブフレームでデータを受信するように構成される第１の無線ノードにおける方法（1700）であって、
第１のサブフレーム区間の間に第２の無線ノードによって送信されるサブフレームが、前記送信されるサブフレームの先頭から１つ以上のシンボルを省くことによって短縮されることを示すサブフレーム短縮情報を含むグラントメッセージを、前記第２の無線ノードへ送信するステップ（1720）と、
前記所定の数のシンボル区間と比べて短縮されている、第１の短縮されたサブフレームを、前記第１のサブフレーム区間の間に前記第２の無線ノードから受信するステップ（1730）と、
を含むことを特徴とする方法。
【請求項８】
前記サブフレーム短縮情報は、前記第１のサブフレーム区間の間に送信される前記サブフレームが、当該送信されるサブフレームの前記先頭から所定の数のシンボルを省くことによって短縮されることを示す単一ビットから成る
ことを特徴とする請求項７に記載の方法。
【請求項９】
前記グラントメッセージを送信（1720）する前に、前記第１のサブフレーム区間の間に送信される前記サブフレームの前記先頭から省かれるシンボルの数を指定する構成情報を、前記第２の無線ノードへ送信するステップ（1710）を更に備える
ことを特徴とする請求項８に記載の方法。
【請求項１０】
前記サブフレーム短縮情報は、前記第１のサブフレーム区間の間に送信される前記サブフレームの前記先頭において省かれるシンボルの数を指定する
ことを特徴とする請求項７に記載の方法。
【請求項１１】
前記第１の短縮されたサブフレームを受信するステップ（1730）は、前記第１の短縮されたサブフレームからデータを復号化するステップを含み、当該復号化は、前記第１のサブフレーム区間の前記先頭において省かれた１つ以上のシンボルを、パンクチャリングされたデータとして扱うことを含む
ことを特徴とする請求項７から１０のいずれか１項に記載の方法。
【請求項１２】
前記第１の短縮されたサブフレームを受信するステップ（1730）は、前記第１の短縮されたサブフレームから、復号化されたデータを取り出すステップを含み、当該取り出しは、前記第１のサブフレーム区間の前記先頭において省かれたシンボル区間を無視するデマッピングパターンに従って、前記第１のダウンリンクサブフレームからデータシンボルをデマッピングすること、及び前記デマッピングされたデータシンボルを復号化すること、を含む
ことを特徴とする請求項７から１０のいずれか１項に記載の方法。
【請求項１３】
スケジューリングされたブロードキャストサブフレームを、第２のサブフレーム区間の間に送信するステップ（1740）と、第２の短縮されたサブフレームを、前記第２のサブフレーム区間の直後の第３のサブフレーム区間の間に受信するステップ（1750）と、を更に含む
ことを特徴とする請求項７から１２のいずれか１項に記載の方法。
【請求項１４】
受信機回路（1830）と、定義されたサブフレーム区間に発生し、且つ、所定の数のシンボル区間を有する送信サブフレームでデータを送信するように構成された送信機回路（1825）と、前記受信機回路（1830）及び前記送信機回路（1825）を制御するように構成された処理回路（1810）と、を備える第１の無線ノード（1800）であって、前記処理回路（1810）は、
前記所定の数のシンボル区間と比べて送信サブフレームが短縮されることを判定し、
前記判定に応じて、前記送信サブフレームについてのサブフレーム区間の先頭における１つ以上のシンボル区間の間に送信せずに当該サブフレーム区間の残りの部分の間に送信することによって前記送信サブフレームの送信を短縮するよう、前記送信機回路（1825）を制御する
ように更に構成されることを特徴とする第１の無線ノード。
【請求項１５】
前記処理回路（1810）は、前記送信サブフレームが短縮されることを示すサブフレーム短縮情報を含むグラントメッセージを、前記受信機回路（1830）を介して第２の無線ノードから受信することによって、前記送信サブフレームが短縮されることを判定するように構成される
ことを特徴とする請求項１４に記載の第１の無線ノード。
【請求項１６】
前記サブフレーム短縮情報は、所定の数のシンボルを前記送信サブフレームの前記先頭から省くことによって前記送信サブフレームが短縮されることを示す単一ビットから成る
ことを特徴とする請求項１５に記載の第１の無線ノード。
【請求項１７】
前記処理回路（1810）は、前記グラントメッセージを受信する前に、前記所定の数を指定する構成情報を、前記受信機回路（1830）を介して前記第２の無線ノードから受信する
ように更に構成される
ことを特徴とする請求項１６に記載の第１の無線ノード。
【請求項１８】
前記サブフレーム短縮情報は、前記送信サブフレームの前記先頭において省かれたシンボルの数を指定する
ことを特徴とする請求項１５に記載の第１の無線ノード。
【請求項１９】
前記処理回路（1810）は、スケジューリングされたブロードキャストサブフレームが、前記送信サブフレームに先行し、且つ、前記送信サブフレームと重なる受信サブフレームで受信されることを判定することによって、前記送信サブフレームが短縮されることを判定するように構成される
ことを特徴とする請求項１４に記載の第１の無線ノード。
【請求項２０】
送信機回路（1955）と、定義されたサブフレーム区間に発生し、且つ、所定の数のシンボル区間を有する受信サブフレームでデータを受信するように構成された受信機回路（1952）と、前記受信機回路（1952）及び前記送信機回路（1955）を制御するように構成された処理回路（1960）と、を備える第１の無線ノード（1900）であって、前記処理回路（1960）は、
第１のサブフレーム区間の間に第２の無線ノードによって送信されるサブフレームが短縮されることを示すサブフレーム短縮情報を含むグラントメッセージを、前記送信機回路（1955）を介して前記第２の無線ノードへ送信し、
前記所定の数のシンボル区間と比べて短縮されている、第１の短縮されたサブフレームを、前記第１のサブフレーム区間の間に前記受信機回路（1952）を介して前記第２の無線ノードから受信する
ように更に構成されることを特徴とする第１の無線ノード。
【請求項２１】
前記サブフレーム短縮情報は、前記第１のサブフレーム区間の間に送信される前記サブフレームが、当該送信されるサブフレームの前記先頭から所定の数のシンボルを省くことによって短縮されることを示す単一ビットから成る
ことを特徴とする請求項２０に記載の第１の無線ノード。
【請求項２２】
前記処理回路（1960）は、前記グラントメッセージを送信する前に、前記所定の数を指定する構成情報を、前記送信機回路（1955）を介して前記第２の無線ノードへ送信するように更に構成される
ことを特徴とする請求項２１に記載の第１の無線ノード。
【請求項２３】
前記サブフレーム短縮情報は、前記第１のサブフレーム区間の間に送信される前記サブフレームの前記先頭において省かれるシンボルの数を指定する
ことを特徴とする請求項２０に記載の第１の無線ノード。
【請求項２４】
前記処理回路（1960）は、前記第１の短縮されたサブフレームからデータを復号化するように更に構成され、当該復号化は、前記第１のサブフレーム区間の前記先頭において省かれた１つ以上のシンボルを、パンクチャリングされたデータシンボルとして扱うことを含む
ことを特徴とする請求項２０から２３のいずれか１項に記載の第１の無線ノード。
【請求項２５】
前記処理回路（1960）は、前記第１の短縮されたサブフレームから、復号化されたデータを取り出すように更に構成され、当該取り出しは、前記第１のサブフレーム区間の前記先頭において省かれたシンボル区間を無視するデマッピングパターンに従って、前記第１のダウンリンクサブフレームからデータシンボルをデマッピングすること、及び前記デマッピングされたデータシンボルを復号化すること、を含む
ことを特徴とする請求項２０から２３のいずれか１項に記載の第１の無線ノード。
【請求項２６】
前記処理回路（1960）は、スケジューリングされたブロードキャストサブフレームを、第２のサブフレーム区間の間に送信するよう、前記送信機回路（1955）を制御するように更に構成され、前記処理回路（1960）は、第２の短縮されたサブフレームを、前記第２のサブフレーム区間の直後の第３のサブフレーム区間の間に前記受信機回路（1952）を介して受信するように更に構成される
ことを特徴とする請求項２０から２５のいずれか１項に記載の第１の無線ノード。
【請求項２７】
定義されたサブフレーム区間に発生し、且つ、所定の数のシンボル区間を有する受信サブフレームでデータを受信するように構成される第１の無線ノードのためのコンピュータプログラムであって、前記第１の無線ノードによって実行されたときに当該第１の無線ノードに、
第１のサブフレーム区間の間に第２の無線ノードによって送信されるサブフレームが、前記送信されるサブフレームの先頭から１つ以上のシンボルを省くことによって短縮されることを示すサブフレーム短縮情報を含むグラントメッセージを、前記第２の無線ノードへ送信するステップと、
前記所定の数のシンボル区間と比べて短縮されている、第１の短縮されたサブフレームを、前記第１のサブフレーム区間の間に前記第２の無線ノードから受信するステップと、
を実行させるコンピュータプログラムコードを含むことを特徴とするコンピュータプログラム。
【請求項２８】
定義されたサブフレーム区間に発生し、且つ、所定の数のシンボル区間を有する送信サブフレームでデータを送信するように構成される無線ノードのためのコンピュータプログラムであって、前記無線ノードによって実行されたときに当該無線ノードに、
前記所定の数のシンボル区間と比べて送信サブフレームが短縮されることを判定するステップと、
前記判定に応じて、前記送信サブフレームについてのサブフレーム区間の先頭における１つ以上のシンボル区間の間に送信せずに当該サブフレーム区間の残りの部分の間に送信することによって前記送信サブフレームの送信を短縮するステップと、
を実行させるコンピュータプログラムコードを含むことを特徴とするコンピュータプログラム。
【請求項２９】
定義されたサブフレーム区間に発生し、且つ、所定の数のシンボル区間を有する受信サブフレームでデータを受信するように構成される第１の無線ノードによって実行されたときに当該第１の無線ノードに、
第１のサブフレーム区間の間に第２の無線ノードによって送信されるサブフレームが、前記送信されるサブフレームの先頭から１つ以上のシンボルを省くことによって短縮されることを示すサブフレーム短縮情報を含むグラントメッセージを、前記第２の無線ノードへ送信するステップと、
前記所定の数のシンボル区間と比べて短縮されている、第１の短縮されたサブフレームを、前記第１のサブフレーム区間の間に前記第２の無線ノードから受信するステップと、
を実行させるコンピュータプログラムコードを含むコンピュータプログラムが格納された、コンピュータ読み取り可能媒体。
【請求項３０】
定義されたサブフレーム区間に発生し、且つ、所定の数のシンボル区間を有する送信サブフレームでデータを送信するように構成される無線ノードによって実行されたときに当該無線ノードに、
前記所定の数のシンボル区間と比べて送信サブフレームが短縮されることを判定するステップと、
前記判定に応じて、前記送信サブフレームについてのサブフレーム区間の先頭における１つ以上のシンボル区間の間に送信せずに当該サブフレーム区間の残りの部分の間に送信することによって前記送信サブフレームの送信を短縮するステップと、
を実行させるコンピュータプログラムコードを含むコンピュータプログラムが格納された、コンピュータ読み取り可能媒体。
【発明の詳細な説明】
【技術分野】
【０００１】
本発明は、一般に無線通信システムに関し、特に、時分割複信（ＴＤＤ）システムにおいてサブフレーム長を変更する技術に関する。
【背景技術】
【０００２】
典型的なセルラ無線システムにおいて、移動局及び／又はユーザ装置ユニット（ＵＥ）としても知られるエンドユーザ無線端末は、無線アクセスネットワーク（ＲＡＮ）を介して１つ以上のコアネットワークと通信する。無線アクセスネットワーク（ＲＡＮ）は複数のセルエリアに分割される地理的エリアを範囲に含み、各セルエリアは例えば無線基地局（ＲＢＳ）である基地局によりサービスを提供される。いくつかのネットワークにおいて、無線基地局を例えば「ＮｏｄｅＢ」又は「ｅＮｏｄｅＢ」と呼ぶ場合もある。セルは、基地局の場所に存在する無線基地局装置により無線カバレッジを提供される地理的領域である。各セルは局所無線エリア内で識別子により識別され、これはセルにおいてブロードキャストされる。基地局は、無線周波数上で動作するエアインタフェースを介して、基地局の範囲内に存在するユーザ装置ユニット（ＵＥ）と通信する。
【０００３】
いくつかの無線アクセスネットワークにおいて、複数の基地局が例えば地上通信線又はマイクロ波リンクにより無線ネットワーク制御装置（ＲＮＣ）又は基地局制御装置（ＢＳＣ）に接続されてもよい。無線ネットワーク制御装置は、それに接続された複数の基地局の種々のアクティビティを監視及び調整する。無線ネットワーク制御装置は、典型的には１つ以上のコアネットワークに接続される。
【０００４】
ユニバーサル移動体通信システム（ＵＭＴＳ）は、グローバルシステム・フォー・モバイル・コミュニケーションズ（ＧＳＭ（登録商標））から発展した第３世代移動体通信システムである。ＵＴＲＡＮは、ＵＥとＵＴＲＡＮの規格ではＮｏｄｅＢと呼ぶ基地局との間の通信に広帯域符号分割多元接続（Ｗ−ＣＤＭＡ）を使用する無線アクセスネットワークである。
【０００５】
第３世代パートナーシッププロジェクト（３ＧＰＰ）として知られるフォーラムにおいて、通信サプライヤは第３世代ネットワーク一般に対する規格であり特にＵＴＲＡＮに対する規格を提案及び合意し、無線データレート及び無線容量を向上させる技術を検討している。３ＧＰＰは、ＵＴＲＡＮ及びＧＳＭ（登録商標）に基づく無線アクセスネットワーク技術の更なる発展に着手している。発展型ユニバーサル地上無線アクセスネットワーク（Ｅ−ＵＴＲＡＮ）の仕様に対する複数のリリースが発行されており、規格は発展し続けている。発展型ユニバーサル地上無線アクセスネットワーク（Ｅ−ＵＴＲＡＮ）は、ロング・ターム・エボリューション（ＬＴＥ）及びサービス・アーキテクチャ・エボリューション（ＳＡＥ）を含む。
【０００６】
ロング・ターム・エボリューション（ＬＴＥ）は３ＧＰＰ無線アクセス技術の変形であり、無線基地局ノードは無線ネットワーク制御装置（ＲＮＣ）ノードに接続されるのでなく、アクセスゲートウェイ（ＡＧＷ）を介してコアネットワークに接続される。一般にＬＴＥシステムにおいて、無線ネットワーク制御装置（ＲＮＣ）ノードの機能は、ＬＴＥの仕様ではｅＮｏｄｅＢと呼ばれる無線基地局ノードとＡＧＷとに分散される。その結果、ＬＴＥシステムの無線アクセスネットワーク（ＲＡＮ）は、無線ネットワーク制御装置（ＲＮＣ）ノードに直属しない無線基地局ノードを含むアーキテクチャを有し、これは「フラット」アーキテクチャと呼ばれる場合もある。
【０００７】
例えばＬＴＥ等のセルラシステムにおけるＵＥ等の無線端末であるノードからの送信及び受信は、周波数領域、時間領域又はそれらの組み合わせにおいて多重化可能である。周波数分割複信（ＦＤＤ）システムでは、図１の左側に示すように、ダウンリンク送信及びアップリンク送信は十分に分離した異なる周波数帯域において行われる。時分割複信（ＴＤＤ）では、図１の右側に示すように、ダウンリンク送信及びアップリンク送信は重なり合わない異なる時間スロットにおいて行われる。従って、ＴＤＤは対になっていない周波数スペクトルにおいて動作できるが、ＦＤＤは対になっている周波数スペクトルを必要とする。
【０００８】
通常、通信システムにおける送信信号は何らかの形態のフレーム構造に編成される。例えばＬＴＥは、図２に示すように、サイズの等しい長さ１ミリ秒の１０個のサブフレーム０〜９を無線フレーム毎に使用する。
【０００９】
図２の上部に示すＦＤＤ動作の場合、アップリンク送信のためのキャリア周波数（ｆUL）及びダウンリンク送信のためのキャリア周波数（ｆDL）の２つのキャリア周波数が存在する。少なくともセルラ通信システムにおける無線端末に関して、ＦＤＤは全二重又は半二重のいずれであってもよい。全二重の場合、端末は送信及び受信を同時に行えるが、半二重動作において（図１を参照）、端末は送信及び受信を同時に行うことができない（しかし、基地局は送信及び受信を同時に行うことができ、すなわち１つの端末から受信するのと同時に別の端末へ送信できる）。ＬＴＥにおいて、半二重無線端末は、特定のサブフレームにおいてアップリンクで送信するように明示的に指示された場合以外、ダウンリンクにおいてモニタリング／受信する。
【００１０】
ＴＤＤ動作（図２の下部に示す）の場合、単一のキャリア周波数ＦUL/DLのみが存在し、アップリンク送信及びダウンリンク送信はセル単位でも時間分離される。同一のキャリア周波数がアップリンク送信及びダウンリンク送信に使用されるため、基地局及び移動端末の双方が送信と受信とを切り替える必要がある。ＴＤＤシステムの重要な側面は、アップリンク送信とダウンリンク送信との間の干渉を回避するために、ダウンリンク送信及びアップリンク送信のいずれも行われない十分に長いガード時間を提供することである。ＬＴＥの場合、特殊サブフレーム（サブフレーム１、及び場合によってはサブフレーム６）がこのガード時間を提供する。ＴＤＤの特殊サブフレームは、ダウンリンク部分（ＤｗＰＴＳ）、ガード期間（ＧＰ）及びアップリンク部分（ＵｐＰＴＳ）の３つの部分に分割される。残りのサブフレームは、アップリンク送信又はダウンリンク送信のいずれかに割り当てられる。
【００１１】
時分割複信（ＴＤＤ）では、アップリンク送信及びダウンリンク送信に割り当てられるリソース量の非対称性を、異なる複数のダウンリンク／アップリンク構成によって異ならせることができる。ＬＴＥでは、図３に示すように７個の異なる構成が存在する。各構成は、１０ミリ秒の各無線フレームにおけるダウンリンクサブフレーム及びアップリンクサブフレームの割合が異なる。例えば図３の最上部に示す構成０は、表記「ＤＬ：ＵＬ  ２：３」で示すように、５ミリ秒の各ハーフフレームに２個のダウンリンクサブフレーム及び３個のアップリンクサブフレームを有する。構成０、１及び２は、無線フレームの５ミリ秒の各ハーフフレームにおいて同一の配置を有するが、残りの構成はそのような配置を有さない。例えば構成５は、表記「ＤＬ：ＵＬ  ９：１」で示すように、１個のアップリンクサブフレームのみと９個のダウンリンクサブフレームとを有する。複数の構成はアップリンク／ダウンリンクの様々な割合を提供するため、システムは予想されるトラフィック負荷に最適な構成を選択できる。
【００１２】
異なるセル間のダウンリンク送信とアップリンク送信との間の重大な干渉を回避するために、隣接するセルは同一のダウンリンク／アップリンク構成を有する必要がある。同一の構成を有さない場合、図４に示すように、１つのセルにおける基地局２（ＢＳ２）へのアップリンク送信が隣接セルにおける基地局１（ＢＳ１）からのダウンリンク送信と干渉する場合がある（また、１つのセルにおける基地局１（ＢＳ１）へのアップリンク送信が隣接セルにおける基地局２（ＢＳ２）からのダウンリンク送信と干渉する場合もある）。図４では、図中で移動局１（ＭＳ２）として識別される右側のセル内のＵＥのアップリンク送信は左側のセル内のＵＥ（ＭＳ１）によるダウンリンク受信と干渉している。その結果、ダウンリンク／アップリンクの非対称性はセル間で変動しない。ダウンリンク／アップリンク非対称構成は、システム情報の一部としてシグナリングされ、長期間固定される。
【００１３】
ＬＴＥにおいて、ダウンリンクは直交周波数分割多重化（ＯＦＤＭ）に基づくが、アップリンクはシングルキャリア周波数分割多元接続（ＳＣ−ＦＤＭＡ）としても知られる離散フーリエ変換拡散（ＤＦＴ拡散）ＯＦＤＭに基づく。詳細は、www.3gpp.orgで入手できる３ＧＰＰドキュメント「Evolved Universal Terrestrial Radio Access (E-UTRA); Physical channels and modulation」, 3GPP TS 36.211, V11.3.0において見つけられるだろう。送信時間間隔（ＴＴＩ）は１ミリ秒のサブフレームに等しく、サブフレームはダウンリンクでは１４個のＯＦＤＭシンボル区間で構成され、アップリンクでは１４個のＳＣ−ＦＤＭＡシンボル区間で構成され、通常の長さのサイクリックプレフィックスを与えられる。これらのシンボル区間において送信されるＯＦＤＭシンボル及びＳＣ−ＦＤＭＡシンボルの部分は、物理ダウンリンク共有チャネル（ＰＤＳＣＨ）及び物理アップリンク共有チャネル（ＰＵＳＣＨ）と呼ばれる物理チャネルにおいてユーザデータを搬送するために使用される。将来の無線通信システムでは、ユーザデータの遅延を低減するために、サブフレームの長さが大幅に低減される可能性がある。更に、将来の無線システムでは、ダウンリンク及びアップリンクの双方がＯＦＤＭに基づく可能性がある。
【００１４】
現在の無線システムの発展及び将来の無線通信システムの発達にとって重要な優先事項は、特にスモールセルの場合に当てはまるビットレートの高速化及び遅延の短縮である。ビットレートの高速化は、例えば広帯域スペクトルリソースを利用できる高いキャリア周波数を使用することにより達成可能である。また、ＴＤＤ（時分割複信）への関心が高まっている。動的ＴＤＤシステム、すなわちＴＤＤ構成が１つのフレームと次のフレームとの間で必ずしも静的でないシステムを用いる場合、ダウンリンク（ｅＮｏｄｅＢからＵＥへ）に使用される区間の数とアップリンク（ＵＥからｅＮｏｄｅＢへ）に使用される区間の数との関係を適応的に変更することにより、ダウンリンクビットレート又はアップリンクビットレートを瞬時に増加できる。スモールセル内では伝搬遅延が小さいため、ダウンリンクからアップリンクに切り替える際に短いガード期間を使用できる。従って、ダウンリンク送信とアップリンク送信との間の干渉を最小限に維持し、且つ、制御シグナリングを最小限に維持しながら、動的ＴＤＤシステムにおいてダウンリンクとアップリンクとを切り替えるための改良技術が必要とされる。
【発明の概要】
【００１５】
時分割多重化（ＴＤＤ）システムにおいてアップリンクとダウンリンクとの間の関係を固定した場合、無線リソースを柔軟に使用できなくなる。しかし、動的ＴＤＤシステムを用いると、ダウンリンクサブフレーム及びアップリンクサブフレームとして使用されるサブフレームを全てのユーザ装置（ＵＥ）に通知する必要がある場合には制御シグナリング量が大幅に増加する可能性がある。特に、アップリンクとダウンリンクとを切り替えるためのガード期間が、ダウンリンクサブフレーム内の１つ又は複数のＯＦＤＭシンボルを省くことによって作成される場合、ｅＮｏｄｅＢは、サブフレームの最後のＯＦＤＭシンボルが省かれることを全てのＵＥに通知する制御メッセージを送出する必要がある。これには、大きなシグナリングオーバーヘッドが必要とされる。
【００１６】
別の方法では、最後のＯＦＤＭシンボルのうちの１つ又は複数が省かれているかをＵＥがブラインドで検出する必要がある。しかし、それらの最後のダウンリンクＯＦＤＭシンボルの間に別のＵＥがアップリンクで送信する可能性があり、ＵＥが相互に十分に分離されてない場合には干渉が発生する。この干渉の結果、ＯＦＤＭシンボルがダウンリンクフレームから省かれているかの検出の信頼性が低下し、性能が低下する。
【００１７】
本発明の種々の実施形態では、アップリンクサブフレームとダウンリンクサブフレームとを切り替えるためのガード期間は、アップリンクサブフレームを短縮することによって作成される。これは、アップリンクサブフレーム送信区間の先頭の１つ以上のシンボルを省くこと、すなわちサブフレーム区間の先頭の１つ以上のシンボル区間の間に送信しないことによって行われる。通常のサブフレームよりも１つ又は複数のＯＦＤＭ（又はＳＣ−ＦＤＭＡ）シンボル短いサブフレームをＵＥがいつ送信しなければならないか、及び、通常のサブフレームと比較して１つ又は複数のＯＦＤＭ（又はＳＣ−ＦＤＭＡ）シンボル遅れて当該サブフレームの送信がどこで開始するかを示すシグナリングが、ＵＥに送出されるアップリンクグラントメッセージに含められる。
【００１８】
アップリンクがＵＥからｅＮｏｄｅＢへの送信に対応するＬＴＥシステムとの関連で複数の実施形態を以下で説明するが、開示される技術は他の無線システムに適用されてもよく、必ずしもＬＴＥのｅＮｏｄｅＢとＵＥとの間の特定の階層構成に依存しないことが理解されるべきである。
【００１９】
従って、本明細書中で開示される技術に係る方法の一例は、定義されたサブフレーム区間に発生し、且つ、例えば所定の数のシンボル区間を含む、所定の長さを有する送信サブフレームでデータを送信するように構成される第１の無線ノードにおける実現に適する。ＬＴＥシステムにおいて、第１の無線ノードはＵＥであり、サブフレームはアップリンクサブフレームである。本例の方法は、送信サブフレームが所定の長さと比べて短縮されることを判定するステップと、当該判定に応じて、送信サブフレームについてのサブフレーム区間の先頭部分の間に送信せずに当該サブフレーム区間の残りの部分の間に送信することによって送信サブフレームの送信を短縮するステップと、を含む。ＬＴＥシステム等におけるいくつかの実施形態において、所定の長さは、所定の数のシンボル区間であり、サブフレームの送信を短縮することは、送信サブフレームの先頭の１つ以上のシンボル区間の間に送信しないことによって行われる。
【００２０】
いくつかの実施形態において、第１の無線ノードは、送信サブフレームが短縮されることを示すサブフレーム短縮情報を含むグラントメッセージを第２の無線ノードから受信することによって、第１の送信サブフレームが短縮されることを判定する。サブフレーム短縮情報は、例えば送信サブフレームが所定の数のシンボル短縮されることを示す単一ビットで構成されてもよく、あるいは送信サブフレームから省かれるシンボルの数を示す複数のビットを含んでもよい。他の実施形態又は他の例において、第１の無線ノードは、第２の無線ノードから明示的にシグナリングされずに、例えば送信サブフレームに先行し、且つ、送信サブフレームと重なり合う受信サブフレームにおいてスケジューリングされたブロードキャストサブフレームが受信されることを判定することによって、送信サブフレームが短縮されることを判定してもよい。
【００２１】
方法の別の例は、定義されたサブフレーム区間に発生し、且つ、所定の長さを有する受信サブフレームでデータを受信するように構成される無線ノードにおける実現に適する。ＬＴＥシステムにおいて、このノードはＬＴＥ  ｅＮｏｄｅＢであってもよく、受信サブフレームは、この場合もアップリンクサブフレームである。本例の方法は、例えばＬＴＥ  ＵＥである第２の無線ノードへサブフレーム短縮情報を含むグラントメッセージを送信するステップを含む。サブフレーム短縮情報は、第１のサブフレーム区間の間に第２の無線ノードによって送信されるサブフレームが短縮されることを示す。その後、無線ノードは、第１のサブフレーム区間の間に第２の無線ノードから短縮サブフレームを受信する。この場合、短縮されるサブフレームは、所定の長さと比べて短縮される。この場合も、このサブフレーム短縮情報は、第１のサブフレーム区間の間に送信されるサブフレームが送信サブフレームの先頭から所定の数のシンボルを省くことによって短縮されることを示す単一ビットで構成されてもよく、あるいは送信サブフレームから省かれる特定の数のシンボルを示す複数のビットを含んでもよい。
【００２２】
対応する装置、すなわち上記で概要を述べた方法のうちの１つ以上を実行するように構成された無線ノードについても、以下の説明で更に詳細に説明する。
【００２３】
上述のように、ＵＥが送信及び受信を同時に行えないため、ＴＤＤシステムではガード期間が常に含まれる必要がある。アップリンクサブフレームの先頭から１つ以上のシンボルを省くことを使用してガード期間を提供する場合には、アップリンクで送信するＵＥのみが、ダウンリンクからアップリンクへの当該切り替えを認識する必要がある。アップリンクグラントに含まれる制御メッセージは、それにより生じる更なる制御シグナリングオーバーヘッドが非常に少なく、短縮されるサブフレーム以外のサブフレームにおいてＵＥが受信できる。従って、本明細書において開示される技術及び装置は、ダウンリンクからアップリンクへの切り替えをブラインドで検出することを必要とせず、且つ、低いシグナリング負荷で動的ＴＴＤ切り替えを行うためのロバストなシステムを提供するために使用可能である。
【００２４】
当然ながら、本発明は上記の特徴及び利点に限定されない。実際、当業者は以下の詳細な説明を読み且つ添付の図面を参照することによって更なる特徴及び利点を認識するだろう。
【図面の簡単な説明】
【００２５】
【図１】図１は、周波数分割複信、半二重周波数分割及び時分割複信の送信を示す図である。
【図２】図２は、周波数分割複信（ＦＤＤ）及び時分割複信（ＴＤＤ）の場合のＬＴＥ用のアップリンク／ダウンリンクの時間／周波数構成を示す図である。
【図３】図３は、ロング・ターム・エボリューション（ＬＴＥ）における時分割複信（ＴＤＤ）用の７つの異なるダウンリンク／アップリンク構成を一例として示す図である。
【図４】図４は、時分割複信（ＴＤＤ）におけるアップリンク／ダウンリンク（ＵＬ／ＤＬ）干渉の一例を示す図である。
【図５】図５は、複数のユーザ装置（ＵＥ）を含むＬＴＥネットワークの一例の一部分を示す図である。
【図６】図６は、ＴＤＤシステムにおけるダウンリンク及びアップリンクのタイミングを示す図である。
【図７】図７は、３ＧＰＰ仕様に従うアップリンク‐ダウンリンク構成を示す図である。
【図８】図８は、３ＧＰＰにより指定されるフレーム構成タイプ２（５ミリ秒の切り替え点周期の場合）の詳細を示す図である。
【図９】図９は、ダウンリンクサブフレームの後のアップリンクＯＦＤＭシンボルの短縮を示す図である。
【図１０】図１０は、アップリンクサブフレームの前にダウンリンクサブフレームが存在しない場合にアップリンクＯＦＤＭシンボルを省略しないことを示す図である。
【図１１】図１１は、アップリンクサブフレームの後のＵＥ２に対するアップリンクＯＦＤＭシンボルを省略しないことを示す図である。
【図１２】図１２は、複数のサブフレームに対するアップリンクグラントの第１のサブフレーム内のアップリンクＯＦＤＭシンボルを省くことを示す図である。
【図１３】図１３は、固定ダウンリンクサブフレームの後のアップリンクＯＦＤＭシンボルを省くことを示す図である。
【図１４】図１４Ａは、ＤＭ−ＲＳ、ＣＳＩ−ＲＳ、ｅＳＳを有するサブフレームを示す図であり、図１４Ｂは、ＤＭ−ＲＳ、ＣＳＩ−ＲＳ、ｅＳＳが時間シフトされたサブフレームを示す図であり、図１４Ｃは、２つのＯＦＤＭシンボルが省かれ、且つ、ＤＭ−ＲＳ、ＣＳＩ−ＲＳ、ｅＳＳが時間シフトされたサブフレームを示す図である。
【図１５】図１５Ａは、最初に周波数に従ってマッピングされた後に時間に従ってマッピングされたサブフレームを示す図であり、図１５Ｂは、最初に時間に従ってマッピングされた後に周波数に従ってマッピングされたサブフレームを示す図である。
【図１６】図１６は、本明細書中で開示される技術に係る方法の一例を示す処理フロー図である。
【図１７】図１７は、方法の別の例を示す処理フロー図である。
【図１８】図１８は、ユーザ装置の一例の構成要素を示すブロック図である。
【図１９】図１９は、基地局の一例を示すブロック図である。
【発明を実施するための形態】
【００２６】
以下の説明において、限定するためではなく説明するために、本発明の特定の実施形態の特定の詳細を記載する。他の実施形態がそれらの特定の詳細を用いずに使用されてもよいことが当業者には理解されるだろう。更に、いくつかの例において、不必要な詳細により説明を不明瞭にしないために、既知の方法、ノード、インタフェース、回路及び装置の詳細な説明を省く。説明される機能は１つのノード又は複数のノードにおいて実現されてもよいことが当業者には理解されるだろう。説明される機能のいくつか又は全ては、専用化した機能を実行するために相互接続されたアナログ及び／又は離散論理ゲート、ＡＳＩＣ、ＰＬＡ等のハードウェア回路を使用して実現されてもよい。同様に、機能のいくつか又は全ては、１つ以上のデジタルマイクロプロセッサ又は汎用コンピュータと連携してソフトウェアプログラム及びデータを使用して実現されてもよい。エアインタフェースを使用して通信するノードを説明する場合、それらのノードは適切な無線通信回路を更に有することが理解されるだろう。更に、本発明は、本明細書中で説明する技術をプロセッサに実行させる適切なコンピュータ命令セットを含む固体メモリ、磁気ディスク又は光ディスク等の非一時的な実施形態を含む何らかの形態のコンピュータ読み取り可能メモリ内で完全に実現されることが更に考えられる。
【００２７】
本発明のハードウェアでの実現例は、デジタル信号プロセッサ（ＤＳＰ）ハードウェア、縮小命令セットプロセッサ、特定用途向け集積回路（ＡＳＩＣ）及び／又はフィールドプログラマブルゲートアレイ（ＦＰＧＡ）を含むがそれらに限定されないハードウェア（例えば、デジタル又はアナログ）回路、並びにそのような機能を実行できるステートマシン（適切である場合）を含んでもよいが、それらに限定されない。
【００２８】
コンピュータの実現例に関して、コンピュータは、一般に、１つ以上のプロセッサ又は１つ以上のコントローラを備えると理解され、用語「コンピュータ」、「プロセッサ」及び「コントローラ」は交換可能に使用されてもよい。コンピュータ、プロセッサ又はコントローラにより提供される場合、機能は、単一の専用コンピュータ、プロセッサ又はコントローラにより提供されてもよく、単一の共有コンピュータ、プロセッサ又はコントローラにより提供されてもよく、いくつかが共有又は分散されてもよい複数の個別のコンピュータ、プロセッサ又はコントローラにより提供されてもよい。更に、用語「プロセッサ」又は「コントローラ」は、上述のハードウェアの例のように、そのような機能を実行できる、及び／又はソフトウェアを実行できる他のハードウェアを更に示す。
【００２９】
次に図面を参照すると、図５は、移動端末１００に無線通信サービスを提供するための移動体通信ネットワークの一例を示す。３ＧＰＰ用語で「ユーザ装置」又は「ＵＥ」と呼ぶ３つの移動端末１００が図５に示される。移動端末１００は、例えば携帯電話、パーソナルデジタルアシスタント、スマートフォン、ラップトップコンピュータ、ハンドヘルドコンピュータ、マシン型通信／マシンツーマシン（ＭＴＣ／Ｍ２Ｍ）装置又は無線通信機能を有する他の装置を含んでもよい。尚、本明細書中で使用する場合、用語「移動端末」は移動体通信ネットワークにおいて動作する端末を示し、端末自体が携帯型又は移動可能型であること必ずしも意味しない。従って、本明細書中で使用される場合、当該用語は用語「無線装置」と置き換え可能であると理解されるべきであり、特定のマシンツーマシンアプリケーション等の、固定された構成に設置された端末、ポータブル装置、自動車に設置された装置等を示してもよい。
【００３０】
移動体通信ネットワークは、複数の地理的セルエリア又はセクタ１２を含む。各地理的セルエリア又はセクタ１２は、正式には発展型ユニバーサル地上無線アクセスネットワーク（Ｅ−ＵＴＲＡＮ）として知られているＬＴＥ無線アクセスネットワークとの関連ではｅＮｏｄｅＢと呼ばれる基地局２０によってサービスを提供される。１つの基地局２０は、複数の地理的セルエリア又はセクタ１２においてサービスを提供してもよい。移動端末１００は、１つ以上のダウンリンク（ＤＬ）チャネルで基地局２０から信号を受信し、１つ以上のアップリンク（ＵＬ）チャネルで基地局２０へ信号を送信する。
【００３１】
ＬＴＥネットワークにおいて、基地局２０は、ｅＮｏｄｅＢであり、Ｘ２インタフェース（不図示）を介して１つ以上の他のｅＮｏｄｅＢに接続されてもよい。ｅＮｏｄｅＢは、Ｓ１−ＭＭＥインタフェースを介してＭＭＥ１３０に更に接続され、サービングゲートウェイ（不図示）等の１つ以上の他のネットワークノードに接続されてもよい。
【００３２】
例示するために、本発明の複数の実施形態をＥＵＴＲＡＮシステムにおいて説明する。しかし、本発明の複数の実施形態は他の無線通信システムに更に一般に適用可能であってもよいことが当業者には理解されるだろう。
【００３３】
上述したように、ＴＤＤ（時分割複信）システムでは同一の周波数がダウンリンク及びアップリンクの双方に使用される。その場合、全二重動作が可能でないと仮定すると、ＵＥ及びｅＮｏｄｅＢの双方が送信と受信とを切り替える必要がある。図６は、ダウンリンクとアップリンクとの間のタイミングを示しており、同図は、ＵＥ及びｅＮｏｄｅＢの双方におけるサブフレーム送信時間及びサブフレーム受信時間を時間に対して示し、これはＯＦＤＭ（又はＳＣ−ＦＤＭＡ）シンボルインデックスを単位として測定可能である。ＵＥがｅＮｏｄｅＢのカバレッジエリア内で移動すると変化しうる伝搬遅延に起因して、ｅＮｏｄｅＢにより送信されたダウンリンクサブフレームは遅延してＵＥで受信される。ＵＥの受信機における高速フーリエ変換（ＦＦＴ）ウィンドウは、サブフレームのデータ部分がＦＦＴウィンドウ内に完全に含まれながら、当該サブフレームのサイクリックプレフィックス（ＣＰ）部分がＦＦＴウィンドウのエッジと重なりうるように、受信したサブフレームと位置合わせされる。ＵＥにより送信されるアップリンクサブフレームは、ＵＥの受信モードから送信モードへの切り替え時間の完了後にのみ送信可能であり、伝搬遅延してｅＮｏｄｅＢにおいて受信される。ＵＥの送信のタイミングは、複数のＵＥからの連続するアップリンクサブフレームのデータ搬送部分が、互いに重なり合わず、且つ、ｅＮｏｄｅＢの受信機のＦＦＴウィンドウ内に含まれるように、ｅＮｏｄｅＢによって制御される。この場合も、サイクリックプレフィックス（ＣＰ）を含むサブフレームの部分はｅＮｏｄｅＢのＦＦＴウィンドウのエッジと重なってもよい。
【００３４】
ＬＴＥリリース１１では、アップリンクサブフレーム及びダウンリンクサブフレームの固定割り当てが使用され、これはwww.3gpp.orgで入手できる「Evolved Universal Terrestrial Radio Access (E-UTRA); Physical channels and modulation」, 3GPP TS 36.211, V11.3.0において定義されている。いくつかの予め定義された割り当てが、図７に示すように指定される。同図では、アップリンク‐ダウンリンク構成０〜６が各々の５ミリ秒又は１０ミリ秒の周期とともに示されている。図７に示す表において、各サブフレーム番号０〜９は、ダウンリンクサブフレームに対応する「Ｄ」サブフレーム、アップリンクサブフレームに対応する「Ｕ」サブフレーム及び特殊サブフレームに対応する「Ｓ」サブフレームのいずれかとして示されている。特殊サブフレームは、連続するダウンリンクサブフレームとアップリンクサブフレームとの間に挿入される。特殊サブフレームの詳細を図８に示す。特殊サブフレームは、ダウンリンク用のＯＦＤＭシンボル及びアップリンク用のＳＣ−ＦＤＭＡシンボルの双方と、それらの間のガード期間とを含む。このガード期間は、図６に示すようにアップリンクシンボルがｅＮｏｄｅＢのＦＦＴウィンドウ内で受信されるように、タイミングアドバンスを用いて送信するためにＵＥによって使用される。ガード期間は、ｅＮｏｄｅＢ及びＵＥの送受信回路がダウンリンクモードからアップリンクモードに切り替わるための時間を更に提供する。
【００３５】
動的ＴＤＤシステムにおいて、ダウンリンクサブフレームの数とアップリンクサブフレームの数との間の関係は、図７に示す準静的な構成に従って固定されず、現在必要とされるものに依存して柔軟に構成可能である。例えばＵＥは、所与のサブフレームにおいて送信するように明示的に指示されない限り、全てのサブフレームをダウンリンクサブフレームとして扱ってもよい。動的ＴＤＤに対するこのアプローチは、２０１１年６月２３日に公開され、且つ、その全体の内容が本明細書で援用される、「Flexible Subframes」という表題が付された米国特許出願公開第２０１１／０１４９８１３号明細書で説明されている。柔軟なサブフレームが使用される場合、ｅＮｏｄｅＢは、ＵＥが受信をスケジューリングされる時間及び方法（すなわち、ダウンリンク割り当て）及びアップリンクで送信する時間及び方法（すなわち、アップリンクグラント）を示す制御信号を、ＵＥに送出する。ＬＴＥにおいて、この制御シグナリングは、物理ダウンリンク制御チャネル（ＰＤＣＣＨ）又は拡張物理ダウンリンク制御チャネル（ＥＰＤＣＣＨ）のいずれかによって搬送可能である。ダウンリンク割り当ては、ユーザデータが送信されるのと同一のサブフレームで送信される一方で、アップリンクグラントは、ＵＥがアップリンクで送信するようにスケジューリングされる数サブフレーム前に送信される。
【００３６】
アップリンクとダウンリンクとの間の関係を固定した場合、無線リソースを柔軟に使用できなくなる。しかし、動的ＴＤＤを用いると、ダウンリンクサブフレーム及びアップリンクサブフレームとしてそれぞれ使用されるサブフレームを全てのＵＥが認識する必要がある場合には制御シグナリング量が大幅に増加する可能性がある。更に、動的ＴＤＤでは、ＵＥの回路がダウンリンクモードからアップリンクモードに切り替わるようにするために、連続するダウンリンクサブフレームとアップリンクサブフレームとの間にガード期間が必要である。
【００３７】
ガード期間は、ダウンリンクにおける１つ又は複数のＯＦＤＭシンボルを省くことによって作成可能である。冗長符号化を使用するシステムにおいて、受信側ＵＥは、それらの省かれたＯＦＤＭシンボルを「パンクチャリングされた」シンボルとして扱うことができ、通常は当該シンボルによって搬送されるデータを通常の復号化技術を使用して再構成できる。あるいは、受信側ＵＥは、サブフレームの残りの部分におけるデータを復号化し、データを搬送しないシンボル区間を回避できる。いずれの場合も、ダウンリンクにおける１つ又は複数のＯＦＤＭシンボルを省くことによよってガード期間が作成される場合、ｅＮｏｄｅＢは、サブフレームの最後のＯＦＤＭシンボルが省かれることを示す制御信号を全てのＵＥに送出する必要がある。従って、このアプローチによると、シグナリングがダウンリンクグラントに含められ、当該シグナリングは、ｅＮｏｄｅＢが通常のサブフレームよりも１つ又は複数のＯＦＤＭ（又はＳＣ−ＦＤＭＡ）シンボル短いサブフレームを送信していること、及び、当該サブフレームの送信が、通常のサブフレームの場合よりも１つ又は複数のＯＦＤＭ（又はＳＣ−ＦＤＭＡ）シンボル区間早くどこで終了することを示す。尚、このインジケーションは、当該サブフレームに対してスケジューリングされる全てのＵＥにシグナリングされる必要があり、それ故に、大きなシグナリングオーバーヘッドが必要になりうる。
【００３８】
代替案は、最後のＯＦＤＭシンボルのうちの１つ又は複数が省かれているかをＵＥがブラインドで検出できることである。しかし、ＵＥが互いに十分に分離されていない場合にそれらの最後のダウンリンクＯＦＤＭシンボルの期間に別のＵＥがアップリンクで送信すると、干渉が発生する。この干渉の結果、ＯＦＤＭシンボルが省かれているかの検出の信頼性が低下し、性能が低下する。
【００３９】
別のアプローチは、ＵＥがアップリンクサブフレーム送信の先頭から１つ以上のシンボルを省くことによってガード期間を作成することである。このアプローチによると、基地局は、通常のサブフレームよりも１つ又は複数のＯＦＤＭ（又はＳＣ−ＦＤＭＡ）シンボル短いサブフレームをＵＥが送信する必要があること、及び、当該サブフレームの送信が、通常のサブフレームよりも１つ又は複数のＯＦＤＭ（又はＳＣ−ＦＤＭＡ）シンボル区間遅くどこで開始するかを示すシグナリングを、ＵＬグラントに含める。
【００４０】
図９は、後者のアプローチによるサブフレームのタイミングを示しており、同図では、一連のサブフレームは柔軟にスケジューリングされ、１つのサブフレームはアップリンク（ＵＬ）で使用するためにスケジューリングされ、２つの他のサブフレームはダウンリンク（ＤＬ）で使用するためにスケジューリングされ、残りのサブフレームはスケジューリングされていない。アップリンクグラントはサブフレームｎ（図９ではｎ＝５）においてダウンリンクで送信され、ＵＥがサブフレームｎ＋ｇ（図９ではｇ＝５）においてアップリンクで送信する必要があることを示す。ｅＮｏｄｅＢがサブフレームｎ＋ｇ−１（サブフレーム９）においてダウンリンクで送信する場合、ＵＥは、短いガード期間を作成するために、アップリンクサブフレームｎ＋ｇ（図９ではサブフレーム１０）の送信の先頭から１つ又は複数のＯＦＤＭ（又はＳＣ−ＦＤＭＡ）シンボルを省く必要がある。従って、「サブフレーム短縮メッセージ」がアップリンクグラントに含められ、当該メッセージは、ＵＥがアップリンクサブフレーム送信の先頭から１つ以上のシンボルを省く必要があることをＵＥに対して知らせる。図９の底部に示すように、アップリンクサブフレームは、０〜１３の番号を付けられた１４個のシンボル区間を含むサブフレーム区間にわたる。これらのシンボル区間の各々は、通常はＯＦＤＭ（又はＳＣ−ＦＤＭＡ）シンボルを搬送する。しかし、ＯＦＤＭシンボルはサブフレーム区間の先頭の１つ以上のシンボル区間から省略可能である。図９に示す例において、サブフレーム区間の先頭の２つのＯＦＤＭシンボルを省くことによってガード期間が作成されている。
【００４１】
尚、図１０に示すようにサブフレームｎ＋ｇ−１（サブフレーム９）がｅＮｏｄｅＢからのダウンリンク送信を含まない場合、あるいは図１１に示すようにサブフレームｎ＋ｇ＋１が別のＵＥからのアップリンクサブフレームである場合には、ＵＥは、サブフレームｎ＋ｇにおいてアップリンクサブフレームの先頭から１つ以上のシンボルを省く必要がない。このように、図１０は、スケジューリングされたアップリンクサブフレームに先行するサブフレーム区間に対してダウンリンクサブフレームがスケジューリングされていない点を除いて図９と同様であり、これは、ＵＥがアップリンクサブフレームの先頭からシンボルを省くことによってガード期間を作成する必要がないことを意味する。図１１も、ダウンリンクサブフレームの直後に２つのＵＥの各々に対して１つずつの２つの連続するアップリンクサブフレームがスケジューリングされている点を除いて図９と同様である。ＵＥ２に対してスケジューリングされるアップリンクサブフレームは、ダウンリンクサブフレームではなく、ＵＥ１に対してスケジューリングされるアップリンクサブフレームに後続するため、ＵＥ２は第２のアップリンクサブフレームにおいてガード期間を作成する必要がない。従って、図１１の底部に示すように、２つのアップリンクサブフレームのうちの第１のサブフレームのみが、サブフレーム区間の先頭のシンボルを省くことによって作成されたガード期間を含む。これらの例（すなわち、図１０及び図１１に示すシナリオ）もアップリンクグラントによって制御され、すなわちサブフレーム短縮メッセージを完全に省くこと又は所与のアップリンクサブフレームは短縮が不要であることを示すサブフレーム短縮メッセージを含めることによって制御される。尚、ｅＮｏｄｅＢがサブフレームｎにおいてアップリンクグラントを送出する場合、サブフレームｎ＋ｇ−１がダウンリンク送信に使用されるか確かでない場合がある。一般に、サブフレームｎ＋ｇ−１がダウンリンク送信に使用されないことをｅＮｏｄｅＢが認識している場合には、計画されたメッセージングの実現例に依存して、ｅＮｏｄｅＢはメッセージが不要であることを示すサブフレーム短縮メッセージを送出するか又はアップリンクグラントからサブフレーム短縮メッセージを省く必要がある。サブフレームｎ＋ｇ−１においてダウンリンク送信が行われるか否かをｅＮｏｄｅＢが認識していない場合には、ｅＮｏｄｅＢはサブフレームｎ＋ｇ−１においてダウンリンク送信が行われると仮定して適切なサブフレーム短縮メッセージを送出する必要がある。
【００４２】
いくつかの実施形態において、アップリンクグラント内のサブフレーム短縮メッセージは、アップリンク送信の最初のＯＦＤＭ（又はＳＣ−ＦＤＭＡ）シンボルを省くか否かをシグナリングする単一ビットのみを含む。これらの実施形態において、ＵＥは、サブフレーム短縮メッセージが受信された場合に所定の数のシンボルを省くように、ハードプログラミングにより事前に構成されるか、又は例えばＲＣＣシグナリングにより準静的に事前に構成されてもよい。省かれるＯＦＤＭ（又はＳＣ−ＦＤＭＡ）シンボルの数をサブフレーム短縮メッセージが明示的に示す、更に柔軟な形式も使用可能である。このアプローチを用いると、ラウンドトリップタイムが短い場合は１つのＯＦＤＭ（又はＳＣ−ＦＤＭＡ）シンボルのみを省く必要があり、ラウンドトリップタイムの長いＵＥは複数のＯＦＤＭシンボルを省く必要がある場合がある。いくつかの実施形態において、ｅＮｏｄｅＢはセルサイズに基づいて常に同一のインジケーションを使用するように構成されてもよい。他の実施形態では、個々のＵＥのラウンドトリップタイムに対してサブフレーム短縮メッセージを適合させられるように、各ＵＥのラウンドトリップタイムがｅＮｏｄｅＢにおいて推定され、且つ、継続的にトラッキングされる。
【００４３】
例えば２ビットがサブフレーム短縮メッセージに使用されると仮定する。本例において、ビットシーケンス「００」は、アップリンクＯＦＤＭ（又はＳＣ−ＦＤＭＡ）シンボルを省く必要がないことをシグナリングするために使用されてもよい。シーケンス「０１」は、１つのＯＦＤＭ（又はＳＣ−ＦＤＭＡ）シンボルを省く必要があることを示すために使用でき、シーケンス「１０」は、２つのＯＦＤＭ（又はＳＣ−ＦＤＭＡ）シンボルを省く必要があることを示し、シーケンス「１１」は、３つのＯＦＤＭ（又はＳＣ−ＦＤＭＡ）シンボルが省かれることを示す。あるいは、サブフレーム短縮メッセージの（複数の）ビットによって示される、パンクチャリングされるＯＦＤＭシンボルの数は、上位レイヤにより準静的に構成可能である。
【００４４】
アップリンクグラントは複数のサブフレームに対するグラントを含むことができることが理解されるだろう。それらのアップリンクサブフレームが連続する場合、サブフレームの短縮に関するシグナリングは、同時にスケジューリングされたサブフレームのうちの最初のサブフレームに対してのみ必要である。これを図１２に示す。図１２は、アップリンクグラントが、ダウンリンクサブフレームに続く４つの連続するアップリンクサブフレームに対してＵＥをスケジューリングするシナリオを示す。図１２の底部に示すように、最初のアップリンクサブフレームのみが、サブフレームの先頭から１つ以上のシンボルを省くことによって作成されたガード期間を含んでいる。
【００４５】
また、動的ＴＤＤシステムは、ダウンリンクに対して固定され、それ故にアップリンクに使用されないいくつかのサブフレームを用いて構成されてもよい。それらのサブフレームは、例えば連続同期、初期同期及び呼セットアップ用に使用される同期及びブロードキャスト制御メッセージのために必要な場合がある。それらの固定ダウンリンクサブフレームのうちの１つ以上は、ＵＥのマルチサブフレームアップリンクグラント内に存在してもよい。この場合、ＵＥは、固定ダウンリンクサブフレームの間には送信できないが、その後に送信を継続できる。ＵＥは、自身のアップリンクグラントに従って残りの全サブフレームの送信を継続してもよいし、あるいは、アップリンク送信全体が事実上、アップリンクグラントによって指示された数より１つ少ないサブフレームを含むように、グラント内のサブフレームのうちの１つが固定ダウンリンクサブフレームによって「パンクチャリング」されると見なしてもよい。いずれの場合も、ＵＥは、図１３に示すように当該固定ダウンリンクサブフレームの後の最初のサブフレームの１つ又は複数のＯＦＤＭ（又はＳＣ−ＦＤＭＡ）シンボルを省く必要がある。図１３では、固定ダウンリンクサブフレームは「Ｄ」で示されている。前出の図面と同様に、アップリンクグラントは、サブフレームｎ（図１３ではｎ＝５）においてダウンリンクで送信され、ＵＥがサブフレームｎ＋ｇ（図１３ではｇ＝５）から開始してアップリンクで送信する必要があることを示している。この場合、マルチサブフレームグラントは、サブフレーム１２における固定ダウンリンクサブフレームと重なっており、これは当該ダウンリンクサブフレームの後に送信されるアップリンクサブフレームが短縮される必要のあることを示す。しかし、ＵＥは当該固定ダウンリンクサブフレームを既に認識しているため、このサブフレームを短縮する必要性はＵＥにシグナリングされる必要がない。サブフレームの柔軟な短縮が使用される場合、省かれるＯＦＤＭ（又はＳＣ−ＦＤＭＡ）シンボルのデフォルトの数が使用されてもよい。あるいは、特定のＵＥに対するアップリンクグラント内の最後に受信したサブフレーム短縮メッセージに従うサブフレーム短縮が使用されてもよい。いずれの場合も、ＵＥは、図１３の底部に示すように、固定ダウンリンクサブフレームに続く最初のアップリンクサブフレームの先頭にガード期間を作成する。
【００４６】
ｅＮｏｄｅＢは、ＵＥに対する信号対干渉雑音比（ＳＩＮＲ）を増加させるために、ダウンリンク及びアップリンクのいずれか又は双方においてビームフォーミングを使用してもよい。このビームフォーミングはベースバンドにおいて行うことができ、その場合、異なるビームフォーマ間の変更はサンプル単位で行うことができる。しかし、マイクロ波又はＲＦ位相調整器を用いて実現されるアナログビームフォーミング等の他のタイプのビームフォーミング技術の場合、このビームフォーミングの変更を適用するために構成要素に対してガードが必要な場合がある。また、ガード期間はキャリブレーション位相の間にアップリンクでの送信を休止するために使用可能である。これらの場合、ｅＮｏｄｅＢは、この目的のために、所与のアップリンクサブフレーム内の最初のＯＦＤＭ（又はＳＣ−ＦＤＭＡ）シンボルのうちの１つ又は複数を省くようにＵＥに命令してもよい。
【００４７】
図１４Ａは、サブフレームのリソースブロック（サブフレーム区間において１２個の連続するＯＦＤＭサブキャリアで構成される時間‐周波数リソース）の一例を示す。同図では、複数のサブキャリアが垂直に示されており、サブフレーム区間が水平に伸びている。図示される例において、サブフレームは１４個のＯＦＤＭシンボルで構成され、復調用参照信号（ＤＭ−ＲＳ）、チャネル状態情報参照シンボル（ＣＳＩ−ＲＳ）及びセル固有参照信号（ＣＲＳ）を含む複数の参照信号を含む。これらの信号の更なる詳細は、www.3gpp.orgで入手できる３ＧＰＰドキュメント「Evolved Universal Terrestrial Radio Access (E-UTRA); Physical channels and modulation」, 3GPP TS 36.211, V11.3.0を参照されたい。同様のマッピングは将来の無線規格で使用できる。
【００４８】
図１４Ｂは、別のマッピングの一例を示しており、同図では、サブフレームの全てのＯＦＤＭシンボルを受信する前のチャネル推定の開始を容易にするために、参照シンボルのマッピングが変更されている。しかし、サブフレームの最初のＯＦＤＭシンボルを省く場合に、参照シンボルは省かれるべきでない。それらのサブフレームにおいて、１つ又は複数のＯＦＤＭシンボルが省かれる場合には、例えば図１４Ｃに示すような参照シンボル及びユーザデータ変調シンボルの別のマッピングが考えられる。
【００４９】
上述した実施形態のいずれかにおいて、アップリンクサブフレームは、サブフレームの最初の１つ又は２つのシンボルを単に送信しないことによって短縮されてもよい。ｅＮｏｄｅＢとＵＥとの間の距離が遠い環境、すなわち長いラウンドトリップタイムが予測される環境に対してシステムが設計される場合には、より多くのシンボルを省くことも考えられる。しかし、ＬＴＥリリース１１では、チャネル符号化は、最初のシンボルが省かれた場合にユーザデータの一部を復号化できない場合があるように設計されている。更に詳細には、www.3gpp.orgで入手できる「Evolved Universal Terrestrial Radio Access (E-UTRA); Multiplexing and channel coding」, 3GPP TS 36.212, V11.3.0において指定されるように、ユーザデータは、複数のコードブロックにセグメント化される。そのような各コードブロックは、個別にターボ符号化及びインターリーブされ、その後、符号語は連結され、変調され、且つ、ＯＦＤＭ（又はＳＣ−ＦＤＭＡ）シンボルにマッピングされる。当該マッピングにおいて、図１５Ａに示すように、連結された変調シンボルのシーケンスは、最初に周波数において（すなわち複数のサブキャリアにわたって）サブフレームにマッピングされ、その後、時間においてマッピングされる。図１５Ａ及び図１５Ｂはそれぞれ、サブフレーム区間において１２個の連続するＯＦＤＭサブキャリアで構成されるリソースブロックの一例を示す。同図では、複数のサブキャリアが垂直に示されており、サブフレーム区間が水平に伸びている。図示される例において、サブフレームは１４個のＯＦＤＭシンボルで構成され、復調参照信号（ＤＭ−ＲＳ）を含む複数の参照信号を含む。明確にするために、他の参照シンボルは省かれている。図１５Ａにおいて、変調シンボルのシーケンスは、矢印で示すように最初に垂直に（すなわち周波数にわたって）マッピングされ、その後、水平に（すなわち時間にわたって）マッピングされる。このマッピングの結果、１つ又は複数のＯＦＤＭ（又はＳＣ−ＦＤＭＡ）シンボル全体をパンクチャリングする場合には１つ又は複数の符号語が完全にパンクチャリングされる。この問題に対する１つの解決策は、連結された変調シンボルのシーケンスをＯＦＤＭシンボル及びＳＣ−ＦＤＭＡシンボルにマッピングする方法を変更することである。図１５Ｂは１つの方法を示しており、同図では、水平の矢印によって示されるように、マッピングは最初に時間において行われる。しかし、最初に時間においてマッピングすることの１つの欠点は、周波数ダイバーシティが減少することである。これは、時間におけるマッピングと周波数におけるマッピングとを交互に行う場合に緩和できる。
【００５０】
上記では、短縮されたサブフレームを送受信する種々の技術についてＬＴＥシステムとの関連で説明してきた。しかし、これらの技術は無線ノード間のＴＤＤ無線リンクに更に一般に適用可能であり、ＬＴＥシステムにおいて見られるＵＥと基地局との関係を有する無線ノードに依存しないことが理解されるべきである。従って、図１６は、定義されたサブフレーム区間に発生し、且つ、所定の長さ（例えば、所定の数のシンボル区間）を有する送信サブフレームでデータを送信するように構成される第１の無線ノードにおける実現に適した方法を示す。この方法がＬＴＥコンテキストで実現される場合、第１の無線ノードはｅＮｏｄｅＢと通信しているＵＥであってもよい。
【００５１】
ブロック１６１０に示すように、図示される方法は、短縮されたサブフレームが送信される場合に、アップリンクサブフレームから省かれる所定の数のシンボルを指定する構成情報を、第２の無線ノードから受信することから開始してもよい。図１６では、この動作は破線の枠で図示されており、これは、この動作が全ての実施形態又は図示される方法の全ての例で存在するわけでないことを示している。
【００５２】
ブロック１６２０に示すように、図示される方法は、送信サブフレームが所定の長さと比べて短縮されることを判定することを含む。いくつかの実施形態又はいくつかの例において、これは、サブフレーム短縮情報を含むグラントメッセージを受信することによって行われてもよい。しかし、他の実施形態又は他の例において、第１の無線ノードは、スケジューリングされたブロードキャストサブフレームが、送信サブフレームに先行し、且つ、それと重なる受信サブフレームにおいて受信されることを判定することによって、送信サブフレームが短縮されることを判定してもよい。
【００５３】
ブロック１６３０に示すように、図示される方法は、送信サブフレームの送信を短縮することを更に含む。これは、送信サブフレームについてのサブフレーム区間の先頭部分の間に送信せずに当該サブフレーム区間の残りの部分の間に送信することによって行われる。いくつかの実施形態において、サブフレームの所定の継続時間は所定の数のシンボル区間であり、その場合、サブフレームの送信を短縮することは、送信サブフレームの先頭の１つ以上のシンボル区間の間に送信しないことを含む。尚、本明細書中で用語が使用されるように、サブフレーム区間は特定の数（例えば１４個）のシンボル区間で構成され、各シンボル区間は通常は送信されたシンボルを搬送する。サブフレームが短縮される場合、サブフレーム区間のうちの１つ以上は送信シンボルを搬送しない。
【００５４】
上述のように、第１の送信サブフレームが短縮されることを判定することは、送信サブフレームが短縮されることを示すサブフレーム短縮情報を含むグラントメッセージを第２の無線ノードから受信することを含んでもよい。いくつかの実施形態において、サブフレーム短縮情報は、送信サブフレームの先頭から所定の数のシンボルを省くことによって送信サブフレームが短縮されることを示す単一ビットで構成される。上記の実施形態のうちのいくつかにおいて、第１の無線ノードは、ブロック１６１０に示すように、グラントメッセージを受信する前に、所定の数を指定する構成情報を第２の無線ノードから受信する。他の実施形態において、第２の無線ノードから受信されるサブフレーム短縮メッセージは、送信サブフレームの先頭で省かれるシンボルの数を指定する。
【００５５】
図１７は、図１６に対応する無線ノードからのリンクの他端で実現される方法を示す。従って、図１７に示す方法は、定義されたサブフレーム区間に発生し、且つ、所定の長さ（例えば、所定の数のシンボル区間）を有する受信サブフレームでデータを受信するように構成される無線ノードにおける実現に適している。ＬＴＥコンテキストの場合、このノードはｅＮｏｄｅＢであってもよい。
【００５６】
ブロック１７１０に示すように、図示される方法は、短縮されたサブフレームが送信される場合に、アップリンクサブフレームから省かれる所定の数のシンボルを指定する構成情報を、第２の無線ノードへ送信することから開始してもよい。図１７では、この動作は破線の枠で図示されており、これは、この動作が全ての実施形態又は図示される方法の全ての例で存在するわけでないことを示している。
【００５７】
ブロック１７２０に示すように、図示される方法は、第１のサブフレーム区間の間に第２の無線ノードによって送信されるサブフレームが短縮されることを示すサブフレーム短縮情報を含むグラントメッセージを、第２の無線ノードへ送信することに続く。ＬＴＥコンテキストの場合、この第２の無線ノードは例えばＵＥである。ブロック１７３０に示すように、本方法は、第１のサブフレーム区間の間に第２の無線ノードから第１の短縮されたサブフレームを受信することに続く。この場合、第１の短縮されたサブフレームは、所定の長さと比べて短縮されている。
【００５８】
いくつかの実施形態において、第２の無線ノードに送出されたサブフレーム短縮情報は、第１のサブフレーム区間の間に送信されるサブフレームの先頭で省かれるシンボルの数を指定する。他の実施形態において、サブフレーム短縮情報は、第１のサブフレーム区間の間に送信されるサブフレームが、送信サブフレームの先頭から所定の数のシンボルを省くことによって短縮されることを示す単一ビットで構成される。これらの実施形態のうちのいくつかにおいて、無線ノードは、グラントメッセージを送信する前に、第１のサブフレーム区間の間に送信されるサブフレームの先頭から省かれるシンボルの数を指定する構成情報を、第２の無線ノードへ送信する。
【００５９】
いくつかの実施形態において、無線ノードは、第１のサブフレーム区間の先頭の１つ以上の省かれたシンボルを、パンクチャリングされたデータとして扱うことによって、第１の短縮サブフレームからデータを復号化する。他の実施形態において、無線ノードは、第１のサブフレーム区間の先頭の省かれたシンボル区間を無視するデマッピングパターンに従って第１のアップリンクサブフレームからのデータシンボルをデマッピングし、且つ、デマッピングされたデータシンボルを復号化することによって、第１の短縮サブフレームから復号化データを取り出す。
【００６０】
いくつかの実施形態において、無線ノードは、更に、スケジューリングされたブロードキャストサブフレームを第２のサブフレーム区間の間に送信し、第２のサブフレーム区間の直後の第３のサブフレーム区間の間に第２の短縮されたサブフレームを受信してもよい。これをブロック１７４０及び１７５０に示しており、これらのブロックは、これらの動作が全ての実施形態又は図示される実施形態の全ての例で行われなくてもよいという意味で「オプション」であることを示すために破線の枠で示されている。
【００６１】
上述し且つ図１６及び図１７に一般に示した方法のうちの複数は、移動端末において提供される無線回路及び電子データ処理回路を使用して実現されてもよい。図１８は、本例では移動端末として実現される、本発明の複数の実施形態に係る無線ノード１８００の一例の特徴を示す。ＬＴＥシステムにおいて動作するように構成されたＵＥであってもよい移動端末１８００は、１つ以上の基地局と通信する送受信機１８２０と、送受信機１８２０によって送受信された信号を処理する処理回路１８１０とを備える。送受信機１８２０は、１つ以上の送信アンテナ１８２８と結合された送信機１８２５と、１つ以上の受信アンテナ１８３３と結合された受信機１８３０とを含む。同一のアンテナ１８２８及び１８３３が送信及び受信の双方に使用されてもよい。受信機１８３０及び送信機１８２５は、典型的にはＬＴＥ用の３ＧＰＰ規格等の特定の通信規格に従う既知の無線処理及び信号処理構成要素と無線処理及び信号処理技術とを使用する。そのような回路の設計及び実現に関連する種々の詳細及び技術上のトレードオフは既知であり、本発明を十分に理解するのに不要であるため、更なる詳細を本明細書中に示さない。
【００６２】
処理回路１８１０は、データ記憶装置１８５５及びプログラム記憶装置１８６０を構成する１つ以上のメモリ素子１８５０に結合された１つ以上のプロセッサ１８４０を備える。いくつかの実施形態において、図１８でＣＰＵ１８４０と識別されるプロセッサ１８４０は、マイクロプロセッサ、マイクロコントローラ又はデジタル信号プロセッサであってもよい。更に一般に、処理回路１８１０は、プロセッサ／ファームウェアの組み合わせ、専用デジタルハードウェア又はそれらの組み合わせを含んでもよい。メモリ１８５０は、読み出し専用メモリ（ＲＯＭ）、ランダムアクセスメモリ、キャッシュメモリ、フラッシュメモリ素子、光記憶装置等の１つ又は複数の種類のメモリを備えてもよい。この場合も、移動装置に対するベースバンド処理回路の設計に関連する種々の詳細及び技術上のトレードオフは既知であり、本発明を完全に理解するのに不要であるため、更なる詳細を本明細書中に示さない。
【００６３】
処理回路１８１０の典型的な機能は、送信信号の変調及び符号化、並びに受信信号の復調及び復号化を含む。複数の実施形態において、処理回路１８１０は、例えばプログラムストレージメモリ１８６０に格納された適切なプログラムコードを使用して、短縮されたサブフレームを送信する、説明した技術のうちの１つを実行するように構成される。
【００６４】
従って、本発明の種々の実施形態において、処理回路は、上記で詳細に説明した技術のうちの１つ以上を実行するように構成される。同様に、他の実施形態は、１つ以上のそのような処理回路を含む移動端末（例えば、ＬＴＥ  ＵＥ）を含む。いくつかの例において、これらの処理回路は、１つ以上の適切なメモリデバイスに格納された適切なプログラムコードを用いて、本明細書中で説明する技術のうちの１つ以上を実現するように構成される。当然ながら、それらの技術のステップの全てが必ずしも単一のマイクロプロセッサ又は単一のモジュールにおいて実行されないことが理解されるだろう。
【００６５】
図１８の移動端末１８００は、無線通信ネットワークにおいて動作するように構成され、且つ、各々がアナログ及び／又はデジタルハードウェアを使用して実現されてもよい複数の機能モジュール、あるいは適切なソフトウェア及び／又はファームウェア、又はそれらの組み合わせを用いて構成された処理回路を備える無線装置の一例としても理解されてもよい。例えばいくつかの実施形態において、移動端末は、定義されたサブフレーム区間に発生し、且つ、所定の数のシンボル区間を有する送信サブフレームでデータを送信する送信機回路を含む送受信機回路と、所定の数のシンボルと比べて送信サブフレームが短縮されることを判定する判定回路と、当該判定回路に応じて、送信サブフレームについてのサブフレーム区間の先頭の１つ以上のシンボル時間の間に送信せずに当該サブフレーム区間の残りの部分の間に送信することによって送信サブフレームの送信を短縮するサブフレーム短縮回路と、を備える。図１６に示す方法に関連して上述した複数の変形は、ここで説明する移動端末の実現例に同様に適用可能であることが理解されるだろう。
【００６６】
図１９は、本例では上述した技術のうちの１つ以上を実現する方法を実現できる基地局として実現される無線ノード１９００の一例の概略図である。本発明を実現する方法を実行するように基地局を制御するためのコンピュータプログラムは、１つ又は複数のメモリデバイスを備えるプログラムストレージ１９３０に格納される。本技術を実現する方法を実行する間に使用されるデータは、１つ以上のメモリデバイスを同様に備えるデータストレージ１９２０に格納される。本技術を実現する方法を実行する間、プログラムステップがプログラムストレージ１９３０から取り出され、中央処理装置（ＣＰＵ）１９１０によって実行され、ＣＰＵ１９１０は必要に応じてデータストレージ１９２０からデータを検索する。本発明を実現する方法を実行した結果得られる出力情報は、データストレージ１９３０に格納でき、あるいは必要に応じてＲＮＣ等の他のノードへデータを送信する送信機を備えてもよい入出力（Ｉ／Ｏ）インタフェース１９４０に送出できる。同様に、入出力（Ｉ／Ｏ）インタフェース１９４０は、例えばＣＰＵ１９１０による使用のために他のノードからデータを受信する受信機を備えてもよい。ＣＰＵ１９１０、データストレージ１９２０及びプログラムストレージ１９３０は、共に処理回路１９６０を構成する。基地局１９００は、１つ以上の移動端末と通信するように既知の設計及び技術に従って適合された受信機回路１９５２及び送信機回路１９５５を含む無線通信回路１９５０を更に備える。
【００６７】
本発明の複数の実施形態によると、一般には基地局装置１９００であり更に詳細には無線通信回路１９５０が、定義されたサブフレーム区間に発生し、且つ、所定の数のシンボル区間を有する受信サブフレームでデータを受信するように構成される。処理回路１９６０は、第２の無線ノードによって第１のサブフレーム区間の間に送信されるサブフレームが短縮されることを示すサブフレーム短縮情報を含むグラントメッセージを、送信機回路１９５５を介して第２の無線ノードへ送信するよう、無線通信回路１９５０内の受信機回路１９５２及び送信機回路１９５５を制御するように構成される。処理回路１９６０は、第１のサブフレーム区間の間に受信機回路１９５２を介して第２の無線ノードから第１の短縮されたサブフレームを受信するように更に構成される。この場合、第１の短縮されたサブフレームは、所定の数のシンボル区間と比べて、１つ以上のシンボル区間、短縮される。
【００６８】
従って、本発明の種々の実施形態において、処理回路は、上記で詳細に説明した技術のうちの１つ以上を実行するように構成される。同様に、他の実施形態は、１つ以上のそのような処理回路を含む基地局を含む。いくつかの例において、それらの処理回路は、１つ以上の適切なメモリデバイスに格納された適切なプログラムコードを用いて、本明細書中で説明する技術のうちの１つ以上を実現するように構成される。当然ながら、それらの技術のステップの全てが必ずしも単一のマイクロプロセッサ又は単一のモジュールにおいて実行されないことが理解されるだろう。
【００６９】
図１９の基地局１９００は、無線通信ネットワークにおいて動作するように構成され、且つ、各々がアナログ及び／又はデジタルハードウェアを使用して実現されてもよい複数の機能モジュール、あるいは適切なソフトウェア及び／又はファームウェア、又はそれらの組み合わせを用いて構成された処理回路を備える無線装置の一例としても理解されてもよい。例えばいくつかの実施形態において、基地局は、送信機回路と、定義されたサブフレーム区間に発生し、且つ、所定の数のシンボル区間を有する送信サブフレームでデータを受信する受信機回路と、第２の無線ノードによって第１のサブフレーム区間の間に送信されるサブフレームが短縮されることを示すサブフレーム短縮情報を含むグラントメッセージを、送信機回路を介して第２の無線ノードへ送信するグラント送信回路と、を含む無線通信回路を備える。これらの実施形態におけるサブフレーム処理回路は、第１のサブフレーム区間の間に受信機回路を介して第２の無線ノードから第１の短縮されたサブフレームを受信するように更に構成される。この場合、第１の短縮されたサブフレームは、所定の数のシンボル区間と比べて、１つ以上のシンボル区間、短縮される。図１７に示す方法に関連して上述した複数の変形は、ここで説明する基地局の実現例に同様に適用可能であることが理解されるだろう。
【００７０】
上述したように、ＵＥが送信及び受信を同時に行えない場合、ＴＤＤシステムにおいてガード期間が常に含まれる必要がある。ダウンリンク信号でパンクチャリングを用いる場合、全てのＵＥに明示的にシグナリングするか又はＵＥにおいて検出することによって、全てのＵＥが当該ガード期間を認識する必要がある。本明細書中で詳述したように、アップリンク送信のみをパンクチャリングすることによって、アップリンクで送信するＵＥのみが、ダウンリンクからアップリンクへのこの切り替えを認識する必要がある。アップリンクグラントに含まれる制御メッセージは、それにより生じる更なる制御シグナリングオーバーヘッドが非常に少なく、パンクチャリングされるサブフレーム以外のサブフレームでＵＥが受信できる。従って、開示される技術によれば、ダウンリンクからアップリンクへの切り替えを検出する必要がなく、且つ、シグナリング負荷が少ないロバストなシステムが得られる。
【００７１】
特定の実施形態の添付の図面を参照して、本発明の複数の実施形態の例を上記に詳細に説明した。構成要素又は技術の全ての考えられる組み合わせを説明することは当然不可能であるため、本発明の範囲から逸脱することなく、種々の変更が上述した実施形態に対して行われてもよいことが当業者には理解されるだろう。例えば上記の実施形態は３ＧＰＰネットワークの一部を参照して説明したが、本発明の一実施形態は同様の機能構成要素を有する３ＧＰＰネットワークの後継等の同様のネットワークに同様に適用可能であることが容易に理解されるだろう。従って、特に、上記の説明、添付の図面及び添付の特許請求の範囲において現在又は今後使用される用語「３ＧＰＰ」及び関連する用語は適宜解釈されるべきである。
【００７２】
特に、開示された発明の変更及び他の実施形態は、上述の説明及び関連する図面において提示された教示の利益を有する当業者により着想されるだろう。従って、本発明は開示された特定の実施形態に限定されるべきではなく、且つ、変更及び他の実施形態は本開示の範囲に含まれることを意図することが理解されるべきである。特定の用語が本明細書中で採用されるが、それらは包括的であり、且つ、説明するために使用されるにすぎず、限定する目的では使用されない。
【図１】
2018082452.tif 000003
【図２】
2018082452.tif 000004
【図３】
2018082452.tif 000005
【図４】
2018082452.tif 000006
【図５】
2018082452.tif 000007
【図６】
2018082452.tif 000008
【図７】
2018082452.tif 000009
【図８】
2018082452.tif 000010
【図９】
2018082452.tif 000011
【図１０】
2018082452.tif 000012
【図１１】
2018082452.tif 000013
【図１２】
2018082452.tif 000014
【図１３】
2018082452.tif 000015
【図１４】
2018082452.tif 000016
【図１５】
2018082452.tif 000017
【図１６】
2018082452.tif 000018
【図１７】
2018082452.tif 000019
【図１８】
2018082452.tif 000020
【図１９】
2018082452.tif 000021
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
定義されたサブフレーム区間に発生するサブフレームであって、所定の数のシンボル区間が通常のサブフレームにおいて使用される、時分割複信システムのサブフレームで、データを受信及び送信するように構成される第１の無線ノードにおける方法であって、
送信サブフレームにおいて前記第１の無線ノードがスケジューリングされていることを示すグラントメッセージであって、前記通常のサブフレームにおけるよりも少数のシンボル区間が前記送信サブフレームにおいて利用されることを示す情報を含むグラントメッセージを、第２の無線ノードから受信するステップと、
少数のシンボル区間が利用されることを示す前記情報に応じて、前記送信サブフレームについてのサブフレーム区間の先頭における１つ以上のシンボル区間において送信せずに当該サブフレーム区間の残りの部分のシンボル区間において送信することによって、前記グラントメッセージに従って前記送信サブフレームを送信するステップと、
を含むことを特徴とする方法。
【請求項２】
少数のシンボル区間が利用されることを示す前記情報は、前記サブフレーム区間の前記先頭において利用されないシンボル区間の数を指定することを特徴とする請求項１に記載の方法。
【請求項３】
定義されたサブフレーム区間に発生するサブフレームであって、所定の数のシンボル区間が通常のサブフレームにおいて使用される、時分割複信システムのサブフレームで、データを送信及び受信するように構成される第２の無線ノードにおける方法であって、
サブフレーム区間の間のサブフレームにおいて第１の無線ノードが送信をスケジューリングされていることを示すグラントメッセージであって、前記サブフレーム区間の間に前記第１の無線ノードによって送信される前記サブフレームにおいて、当該サブフレーム区間の先頭の１つ以上のシンボル区間で送信しないことによって前記通常のサブフレームにおけるよりも少数のシンボル区間が利用されることを示す情報を含むグラントメッセージを、前記第１の無線ノードへ送信するステップと、
前記グラントメッセージに従って、第１のサブフレームを前記サブフレーム区間の間に前記第１の無線ノードから受信するステップと、
を含むことを特徴とする方法。
【請求項４】
少数のシンボル区間が利用されることを示す前記情報は、前記サブフレーム区間の前記先頭において利用されないシンボル区間の数を指定することを特徴とする請求項３に記載の方法。
【請求項５】
定義されたサブフレーム区間に発生するサブフレームであって、所定の数のシンボル区間が通常のサブフレームにおいて使用される、時分割複信システムのサブフレームで、データをそれぞれ受信及び送信するように構成された受信機回路及び送信機回路と、前記受信機回路及び前記送信機回路を制御するように構成された処理回路と、を備える第１の無線ノードであって、前記処理回路は、
送信サブフレームにおいて前記第１の無線ノードがスケジューリングされていることを示すグラントメッセージであって、前記通常のサブフレームにおけるよりも少数のシンボル区間が前記送信サブフレームにおいて利用されることを示す情報を含むグラントメッセージを、前記受信機回路を介して第２の無線ノードから受信し、
少数のシンボル区間が利用されることを示す前記情報に応じて、前記送信サブフレームについてのサブフレーム区間の先頭における１つ以上のシンボル区間において送信せずに当該サブフレーム区間の残りの部分のシンボル区間において送信することによって、前記グラントメッセージに従って前記送信サブフレームを送信するよう、前記送信機回路を制御する
ように更に構成されることを特徴とする第１の無線ノード。
【請求項６】
少数のシンボル区間が利用されることを示す前記情報は、前記サブフレーム区間の前記先頭において利用されないシンボル区間の数を指定することを特徴とする請求項５に記載の第１の無線ノード。
【請求項７】
定義されたサブフレーム区間に発生するサブフレームであって、所定の数のシンボル区間が通常のサブフレームにおいて使用される、時分割複信システムのサブフレームで、データをそれぞれ送信及び受信するように構成された送信機回路及び受信機回路と、前記受信機回路及び前記送信機回路を制御するように構成された処理回路と、を備える第２の無線ノードであって、前記処理回路は、
サブフレーム区間の間のサブフレームにおいて第１の無線ノードが送信をスケジューリングされていることを示すグラントメッセージであって、前記サブフレーム区間の間に前記第１の無線ノードによって送信される前記サブフレームにおいて、当該サブフレーム区間の先頭の１つ以上のシンボル区間で送信しないことによって前記通常のサブフレームにおけるよりも少数のシンボル区間が利用されることを示す情報を含むグラントメッセージを、前記送信機回路を介して前記第１の無線ノードへ送信し、
前記グラントメッセージに従って、第１のサブフレームを前記サブフレーム区間の間に前記受信機回路を介して前記第１の無線ノードから受信する
ように更に構成されることを特徴とする第１の無線ノード。
【請求項８】
少数のシンボル区間が利用されることを示す前記は、前記サブフレーム区間の前記先頭において利用されないシンボル区間の数を指定することを特徴とする請求項７に記載の第１の無線ノード。
【請求項９】
定義されたサブフレーム区間に発生するサブフレームであって、且つ、所定の数のシンボル区間が通常のサブフレームにおいて使用される、時分割複信システムのサブフレームで、データを受信及び送信するように構成される第１の無線ノードのためのコンピュータプログラムであって、前記第１の無線ノードによって実行されたときに当該第１の無線ノードに、請求項１又は２に記載の方法の各ステップを実行させるコンピュータプログラムコードを含むことを特徴とするコンピュータプログラム。
【請求項１０】
定義されたサブフレーム区間に発生し、且つ、所定の数のシンボル区間が通常のサブフレームにおいて使用される、時分割複信システムのサブフレームでデータを送信及び受信するように構成される第２の無線ノードのためのコンピュータプログラムであって、前記第２の無線ノードによって実行されたときに当該第２の無線ノードに、請求項３又は４に記載の方法の各ステップを実行させるコンピュータプログラムコードを含むことを特徴とするコンピュータプログラム。
【請求項１１】
請求項９に記載のコンピュータプログラムが格納されたコンピュータ読み取り可能媒体。
【請求項１２】
請求項１０に記載のコンピュータプログラムが格納されたコンピュータ読み取り可能媒体。
【外国語明細書】
2018082452000001.pdf